(57)【要約】【課題】  表示内容を使い分けることを可能とし、実データを使用する人を選択可能な情報コード表示システムを提供する。【解決手段】  符号器１１は一般表示用データＡを入力して符号化し、符号器１２は実データＢを入力して符号化する。差分検出器２は符号器１１，１２各々から出力される符号データの差分データＤを検出する。合成器３は差分データＤをキーコードとして使用し、一般公開された一般表示用データＣとキーコードとを展開する。復号器４１は展開されたデータを復号することによって、実データを入手可能とする。復号器４２は一般公開された一般表示用データＣを復号化し、一般表示用データを入手可能とする。【選択図】      図１                                                  
2005032084.tif 000002
【特許請求の範囲】
【請求項１】
符号化することで少なくともバーコードを含む情報コードとして配布される一般表示用データを復号化して表示する情報コード表示システムであって、予め登録された特定者用の特定データを符号化する符号化手段と、前記符号化手段で符号化された前記特定データと前記情報コードとして符号化された前記一般表示用データとの差分データを検出する差分検出手段と、前記差分検出手段で検出された差分データを基に前記一般表示用データから前記特定データを復号する復号化手段とを有することを特徴とする情報コード表示システム。
【請求項２】
前記情報コードとして符号化された前記一般表示用データは、少なくとも印刷物及び画面への表示データのうちの一つ以上で配布され、
前記差分検出手段は、前記印刷物及び画面への表示データのうちの一つ以上で配布されるデータに対して光学読取りを行って得たディジタルデータから前記差分データを検出することを特徴とする請求項１記載の情報コード表示システム。
【請求項３】
前記差分データは、少なくとも印刷物及び画面への表示データのうちの一つ以上で配布され、
前記復号化手段は、前記印刷物及び画面への表示データのうちの一つ以上で配布される差分データに対して光学読取りを行って得たディジタルデータを基に前記一般表示用データから前記特定データを復号することを特徴とする請求項２記載の情報コード表示システム。
【請求項４】
前記一般表示用データ及び前記特定データは、ウェブ上のホームページアドレスを含むことを特徴とする請求項１から請求項３のいずれか記載の情報コード表示システム。
【請求項５】
前記符号化手段で符号化された前記差分データは、少なくとも電子メールにて通知されることを特徴とする請求項１から請求項４のいずれか記載の情報コード表示システム。
【請求項６】
前記差分検出手段は、前記印刷物及び画面への表示データのうちの一つ以上で配布されるデータに対して光学読取りを行って得た一つのディジタルデータから複数の前記差分データを検出することを特徴とする請求項１から請求項５のいずれか記載の情報コード表示システム。
【請求項７】
前記復号化手段は、前記差分データがない時に前記一般表示用データを復号すること特徴とする請求項１から請求項６のいずれか記載の情報コード表示システム。
【請求項８】
符号化することで少なくともバーコードを含む情報コードとして配布される一般表示用データを復号化して表示する情報コード表示方法であって、予め登録された特定者用の特定データを符号化し、その符号化された前記特定データと前記情報コードとして符号化された前記一般表示用データとの差分データを検出し、この検出された差分データを基に前記一般表示用データから前記特定データを復号することを特徴とする情報コード表示方法。
【請求項９】
前記情報コードとして符号化された前記一般表示用データは、少なくとも印刷物及び画面への表示データのうちの一つ以上の形態で配布され、それら前記印刷物及び画面への表示データのうちの一つ以上の形態で配布されるデータに対して光学読取りを行って得たディジタルデータから前記差分データを検出することを特徴とする請求項８記載の情報コード表示方法。
【請求項１０】
前記差分データは、少なくとも印刷物及び画面への表示データのうちの一つ以上の形態で配布され、それら前記印刷物及び画面への表示データのうちの一つ以上の形態で配布される差分データに対して光学読取りを行って得たディジタルデータを基に前記一般表示用データから前記特定データを復号することを特徴とする請求項９記載の情報コード表示方法。
【請求項１１】
前記一般表示用データ及び前記特定データは、ウェブ上のホームページアドレスを含むことを特徴とする請求項８から請求項１０のいずれか記載の情報コード表示方法。
【請求項１２】
前記差分データは、少なくとも電子メールにて通知されることを特徴とする請求項８から請求項１１のいずれか記載の情報コード表示方法。
【請求項１３】
前記印刷物及び画面への表示データのうちの一つ以上の形態で配布されるデータに対して光学読取りを行って得た一つのディジタルデータから複数の前記差分データを検出することを特徴とする請求項８から請求項１２のいずれか記載の情報コード表示方法。
【請求項１４】
前記差分データがない時に前記一般表示用データを復号すること特徴とする請求項８から請求項１３のいずれか記載の情報コード表示方法。
【発明の詳細な説明】
【技術分野】
【０００１】
本発明は情報コード表示システム及びそれに用いる情報コード表示方法に関し、特にバーコード等の情報コードの選択表示方法に関する。
【背景技術】
【０００２】
従来、情報コード表示技術では、図６に示すように、情報コードの暗号化か行われている。図６において、データ読取り器５１は書類（図示せず）を走査器（図示せず）によって読取り、その読取った情報をディジタル信号化して暗号器５２に渡す。
【０００３】
暗号器５２は公開鍵暗号方式によってデータ読取り器５１からのディジタル信号を暗号化し、暗号化したディジタル信号を符号器５３に渡す。符号器５３は暗号器５２で暗号化されたディジタル信号をバーコード等の形に符号化し、符号化した情報をデータ送付部５４から出力する。
【０００４】
センタ５５からは暗号解読に用いる鍵がダウンロード可能となっている。復号器５７はデータ受付部５６で受付けかつ符号化された信号を復号する。解読器５８は復号器５７で復号化された信号をセンタ５５からダウンロードした解読鍵を用いて解読し、データ表示部５９に表示する（例えば、特許文献１参照）。
【０００５】
【特許文献１】特開平７−５８０９号公報（第５，６頁、図１）
【発明の開示】
【発明が解決しようとする課題】
【０００６】
しかしながら、上述した従来の情報コード表示技術では、読取ったデータを暗号化してから符号化しているので、信号が暗号化されているため、データの内容をまったく確認することができない。
【０００７】
つまり、従来の情報コード表示技術では、暗号化を行わない場合、情報コードを認識可能な装置を保有する不特定多数の人がその内容を得ることができ、情報を渡すべき人を選べないという問題がある。
【０００８】
また、従来の情報コード表示技術では、暗号化を行った場合、暗号解除の方法を知らない人が一切、その情報の内容を確認することがができないという問題がある。
【０００９】
そこで、本発明の目的は上記の問題点を解消し、表示内容を使い分けることができ、実データを使用する人を選択することができる情報コード表示システム及びそれに用いる情報コード表示方法を提供することにある。
【課題を解決するための手段】
【００１０】
本発明による情報コード表示システムは、符号化することで少なくともバーコードを含む情報コードとして配布される一般表示用データを復号化して表示する情報コード表示システムであって、予め登録された特定者用の特定データを符号化する符号化手段と、前記符号化手段で符号化された前記特定データと前記情報コードとして符号化された前記一般表示用データとの差分データを検出する差分検出手段と、前記差分検出手段で検出された差分データを基に前記一般表示用データから前記特定データを復号する復号化手段とを備えている。
【００１１】
本発明による情報コード表示方法は、符号化することで少なくともバーコードを含む情報コードとして配布される一般表示用データを復号化して表示する情報コード表示方法であって、予め登録された特定者用の特定データを符号化し、その符号化された前記特定データと前記情報コードとして符号化された前記一般表示用データとの差分データを検出し、この検出された差分データを基に前記一般表示用データから前記特定データを復号している。
【００１２】
すなわち、本発明の情報コード表示システムは、情報コードの表示システムに関するもので、情報を符号化し、一般に公開した場合に、特定の人に別の情報を提供可能としている。
【００１３】
より具体的に説明すると、本発明の情報コード表示システムでは、一般表示用データを符号器に入力して符号化し、同様に実データを符号器に入力して符号化する。本発明の情報コード表示システムでは、それぞれの符号器からの出力を差分作成器で符号データの差分データをキーコードとして使用する。
【００１４】
その後、本発明の情報コード表示システムでは、一般向けに公開した一般表示用データを、キーコードを持つものが見る場合、一般表示用データとキーコードとを合成器によって展開して復号器で復号する。これによって、本発明の情報コード表示システムでは実データが入手可能となる。キーコードを持たない場合には、一般公開されている一般表示用データを復号化し、一般表示用データを入手することになる。
【００１５】
このように、本発明の情報コード表示システムでは、一般に公開する情報と、一部に公開するデータとの両方をキーコードの有無で判別し、それぞれ別の情報を提供可能としている。
【発明の効果】
【００１６】
本発明は、以下のような構成及び動作とすることで、表示内容を使い分けることができ、実データを使用する人を選択することができるという効果が得られる。
【発明を実施するための最良の形態】
【００１７】
次に、本発明の実施の形態について図面を参照して説明する。図１は本発明の実施の形態による情報コード表示システムの構成を示すブロック図である。図１において、本発明の実施の形態による情報コード表示システムは符号器１１，１２と、差分検出器２と、合成器３と、復号器４１，４２とから構成されている。
【００１８】
符号器１１は一般表示用データＡを入力して符号化し、符号化したデータを２次元バーコード等の印刷物または表示データとして出力する。同様に、符号器１２は実データＢを入力して符号化し、符号化したデータを２次元バーコード等の印刷物または表示データとして出力する。差分検出器２は符号器１１，１２各々から出力される符号データに対して光学読取りを行ってディジタルデータとし、そのディジタルデータから差分データＤを検出し、検出した差分データを２次元バーコード等の印刷物または表示物として出力する。
【００１９】
合成器３は差分データＤに対して光学読取りを行ってディジタルデータとし、そのディジタルデータをキーコードとして使用し、一般公開（図１のＥ）された一般表示用データＣに対して光学読取りを行ってディジタルデータとし、ディジタルデータとした一般表示用データＣとキーコードとを展開する。復号器４１は展開されたデータを復号することによって、実データを入手、つまり本文が表示可能となる（図１のＦ）。
【００２０】
これに対して、復号器４２は一般公開（図１のＥ）された一般表示用データＣに対して光学読取りを行ってディジタルデータとし、そのディジタルデータを復号化して一般表示用データを入手、つまり一般表示分が表示可能となる（図１のＧ）。
【００２１】
このように、本発明の実施の形態では、一般に公開する情報と、一部に公開するデータとの両方をキーコードの有無で判別し、それぞれ別の情報として提供することができる。
【００２２】
よって、本発明の実施の形態では、一般公開用データＡ及び実データＢという多数の表示データを持っているので、表示内容を使い分けることができるととも、キーコードを用いることで、実データＢを使用する人を選択することができる。
【実施例１】
【００２３】
図２は本発明の一実施例による情報コード表示システムの構成を示すブロック図である。図２には、本実施例の一例として、インタネット上のコンピュータで符号化等の処理をする形態を示している。
【００２４】
入力装置２１は図示せぬインタネットに接続が可能なコンピュータ（ＰＣ：パーソナルコンピュータ）であり、符号化、差分データ作成及び特定の人に送信が可能なホストコンピュータ２２に対して一般公開する一般データと特定の人向けの実データとを入力する。
【００２５】
ホストコンピュータ２２上では二つのデータをそれぞれ符号化し、それらの結果の差分データ（キーデータａ２）を作成して特定の人の携帯端末２４に向けて電子メール等で送付する。
【００２６】
その後、一般データを雑誌面や掲示物等に記載する（一般公開）（図２のＥ）。この一般データａ１を一般の人が携帯端末２３にて復号化を行うことで、つまりホストコンピュータ２２で符号化した一般データａ１を復号化することで、一般データａ３を表示して参照することができる。この一般データａ３の一例としては、ウェブ上のホームページアドレス等が考えられる。
【００２７】
次に、キーデータａ２を受取った特定の人は、携帯端末２４においてそのキーデータａ２と一般データａ１とを合成して復号化することで、実データａ４を参照することができる。
【００２８】
上述したホストコンピュータ２２と携帯端末２３，２４とにおける符号化及び復号化の処理は当業者にとってよく知られており、また本発明とは直接関係しないので、その詳細な構成及び動作についての説明は省略する。
【００２９】
尚、上記実施例では、雑誌面や掲示物（印刷物）の代わりとして、テレビ、インタネット及びダイレクトメール（表示データ）を利用するようにしてもよい。また、ホストコンピュータ２２はコンピュータや携帯電話機で構成することもできる。
【００３０】
図３は本発明の一実施例による符号データの作成手順を示す図であり、図４は本発明の一実施例によるデータの復号手順を示す図である。これら図２〜図４を参照して本発明の一実施例による情報コード表示システムの動作について説明する。
【００３１】
まず、符合器１はコンピュータ等から一般に表示する一般公開用データＡ（ｈｔｔｐ：／／ｗｗｗ．ｘｘｘ．ｇｕｅｓｔ．ｉｎｄｅｘ．ｈｔｍｌ）及び実データＢ（ｈｔｔｐ：／／ｗｗｗ．ｘｘｘ．ｍｅｍｂｅｒ．ｉｎｄｅｘ．ｈｔｍｌ）を符号化する。この符号化はデータの大きさ等にもよるが、２次元バーコード等が適当である。図３及び図４においては２次元バーコードを斜線部と空白部とで表現しており、この符号化データは印刷物または表示データとして配布される。
【００３２】
次に、差分検出器２はその符号化されたデータを光学読取り部５１で読取ってディジタルデータとし、それら全てのデータを一つずつ排他的論理和（ＸＯＲ）をとることで差分データを生成し、キーデータＨとする。このキーデータＨは特定の人に対して送付されるが、符号化データと同様に、印刷物または表示データとして送付される。その後、一般公開用データＡは一般公開（印刷物または表示データとして配布）される（図３のＥ）。
【００３３】
復号器４は一般に公開されているデータ（図４のＥ）を光学読取り部５３で読取ってディジタルデータとし、そのデータを復号化することで、図３で符号化された一般公開用データＡ（ｈｔｔｐ：／／ｗｗｗ．ｘｘｘ．ｇｕｅｓｔ．ｉｎｄｅｘ．ｈｔｍｌ）が表示される。
【００３４】
また、キーデータＨを持っている人の場合、合成器３は一般公開データＥとキーデータＨとを光学読取り部５２で読取ってディジタルデータとし、差分検出器２と同様に、それらディジタルデータの排他的論理和（ＸＯＲ）をとることで、符号化された実データＩを得ることができる。その後、符号化された実データＩは、上記と同様に、光学読取り部５３で読取られてディジタルデータとなり、そのデータが復号器４によって復号されることで、図３で生成した実データＢ（ｈｔｔｐ：／／ｗｗｗ．ｘｘｘ．ｍｅｍｂｅｒ．ｉｎｄｅｘ．ｈｔｍｌ）を得ることができる。
【００３５】
このように、本実施例では、一般公開用データＡ及び実データＢというように、多数の表示データを持っているので、表示内容を使い分けることができる。また、本実施例では、キーコードＨを用いることで、実データＢを使用する人を選択することができる。
【実施例２】
【００３６】
図５は本発明の他の実施例による情報コード表示システムの構成を示すブロック図である。図５において、本発明の他の実施例の構成は上述した図２に示す本発明の一実施例の構成と同様であるが、情報の選択についてさらに工夫しており、一つの一般データに対して複数の実データを含むことで、条件に応じた情報の展開を可能としている。
【００３７】
ＰＣ（コンピュータ）２１ａ及び携帯端末２１ｂ等のインタネットに接続が可能な入力装置２１から、符号化、差分データ作成及び特定の人に送信が可能なホストコンピュータ２２に一般公開する一般公開用データと特定の人向けの実データとを入力する。
【００３８】
この時、特定の人毎に実データを変えることで、ホストコンピュータ２２上ではそれぞれ符号化し、一般公開用データとの差分データ（キーデータ）を作成し、特定の人に向けてそれぞれ電子メール等で送付する。
【００３９】
その後、一般公開用データを雑誌面や掲示物等に公開し（一般公開）（図５のＥ）、その一般データａ１に対して一般の人が携帯端末２３で復号化を行い、データを参照すると、ホストコンピュータ２２で符号化した一般データａ１を表示することができる。この一例としては、ウェブ上のホームページアドレス等の記載等が考えられる。
【００４０】
次に、キーデータを受取った特定の人は、携帯端末２４上でそのキーデータａ２と一般公開用データａ１とを合成して復号化することで、実データａ４を参照することができる。
【００４１】
上述したホストコンピュータ２２と携帯端末２３〜２５とにおける符号化及び復号化の処理は当業者にとってよく知られており、また本発明とは直接関係しないので、その詳細な構成及び動作についての説明は省略する。
【００４２】
尚、上記実施例では、雑誌面や掲示物（印刷物）の代わりとして、テレビ、インタネット及びダイレクトメール（表示データ）を利用するようにしてもよい。また、ホストコンピュータ２２はコンピュータや携帯電話機で構成することもできる。
【００４３】
本実施例では、差分器、復号器として、上述した本発明の一実施例と同様に、排他的論理和（ＸＯＲ）を用いているが、データを復元することができるものであれば、何を用いてもよい。
【図面の簡単な説明】
【００４４】
【図１】本発明の実施の形態による情報コード表示システムの構成を示すブロック図である。
【図２】本発明の一実施例による情報コード表示システムの構成を示すブロック図である。
【図３】本発明の一実施例による符号データの作成手順を示す図である。
【図４】本発明の一実施例によるデータの復号手順を示す図である。
【図５】本発明の他の実施例による情報コード表示システムの構成を示すブロック図である。
【図６】従来例による情報コード表示システムの構成を示すブロック図である。
【符号の説明】
【００４５】
１，１１，１２  符号器
２  差分検出器
３  合成器
４，４１，４２  復号器
１１，１２  符号器
２１  入力装置
２１ａ  ＰＣ
２１ｂ，２３〜２５  携帯端末
２２  ホストコンピュータ
５１〜５３  光学読取り部
【図１】
2005032084.tif 000003
【図２】
2005032084.tif 000004
【図３】
2005032084.tif 000005
【図４】
2005032084.tif 000006
【図５】
2005032084.tif 000007
【図６】
2005032084.tif 000008